(57)【要約】【課題】  不正行為を行うことが困難な遊技機用釘およびこれを用いた遊技機を提供する。【解決手段】  本発明による遊技機用釘は、遊技機の遊技盤に植設されて遊技球を案内する遊技機用釘であって、該遊技盤に打ち込まれるべき尖った先端部と、打ち込み衝撃力を受けるべき傘状の頭部と、該先端部と該頭部との間をつなぐ胴部と、からなり、該胴部に該頭部を切断する切断位置を示すマークが設けられている。【選択図】  図１
2007244602.tif 000002
【特許請求の範囲】
【請求項１】
遊技機の遊技盤に植設されて遊技球を案内する遊技機用釘であって、
前記遊技盤に打ち込まれるべき尖った先端部と、打ち込み衝撃力を受けるべき傘状の頭部と、前記先端部と前記頭部との間をつなぐ胴部と、からなり、
前記胴部に前記頭部を切断する切断位置を示すマークが設けられていることを特徴とする遊技機用釘。
【請求項２】
前記マークは前記胴部に設けられた凹部であることを特徴とする請求項１記載の遊技機用釘。
【請求項３】
遊技機用釘が植設された遊技盤を有する遊技機であって、
前記遊技機用釘は前記遊技盤に打ち込まれるべき尖った先端部と、打ち込み衝撃力を受けるべき傘状の頭部と、前記先端部と前記頭部との間をつなぐ胴部と、からなり、
前記胴部に前記頭部を切断する切断位置を示すマークが設けられておりかつ前記先端部が前記遊技盤に打ち込まれた後に前記マークの位置において前記胴部が切断されていることを特徴とする遊技機。
【発明の詳細な説明】
【技術分野】
【０００１】
本発明は、遊技機の遊技盤に植設されて遊技球を案内する遊技機用釘に関する。
【背景技術】
【０００２】
パチンコ機に代表される弾球遊技機は、その略中央の遊技盤面上に遊技領域を備えている。遊技領域には、遊技球が通過する入賞口の他に、弾球（遊技球とも称する）と衝突して該弾球の運動方向を変化せしめる構造物、いわゆる役物が設けられている。役物には、遊技釘（遊技機用釘）、風車、振分け機構などが含まれる。このうち、遊技釘は、遊技領域に多数、すべて略同じ深さに植設されている。遊技領域に打出された弾球は、これら多数の遊技釘に衝突しかつ転動しながら流下する。従って、遊技者は弾球の複雑多様な流下様態を楽しむことができる。
【０００３】
かかる遊技釘は、遊技領域における弾球の流路を略規定する役割を備えている。特に、入賞口の近傍に植設されている釘は、その植設位置および角度に応じて、入賞口へ弾球を到達させる難易度（入賞確率）を大きく変化させている。弾球が入賞口を通過することを契機として、遊技機は遊技者に賞球を払出すなどの特典を付与することから、かかる特典の付与を望む遊技者は、入賞口の近傍の遊技釘の植設状態を確認して入賞しやすい遊技機を選定して、遊技することが多い。
【０００４】
ここで、特典を不正に取得しようという悪意者は、入賞確率が向上するように、遊技機を意図的に破壊するなどの不正行為（いわゆるゴト行為）を行う。遊技釘に対する不正行為としては、遊技機の前面の扉枠の隙間などからワイヤー等の異物を侵入させてさらに該異物を該遊技釘に引っ掛けて折り曲げるなどの遊技釘の植設状態を変更する行為（いわゆる釘曲げ）がある。かかる行為によって、悪意者は弾球の流路を変更し、入賞確率を向上させて不正に特典を取得している。
【０００５】
遊技釘に対する不正行為を防ぐために、遊技盤面の法線方向の外力に抗して遊技釘を保持する垂直保持手段と、遊技盤面の水平方向の外力に抗して遊技釘を保持する水平保持手段と、からなる保持部を有する遊技盤が提案されている（特許文献１参照）。かかる保持部を介して遊技盤に植設された遊技釘は、遊技盤面の水平方向に大なる外力が加えられると、遊技盤から脱落するようになっている。
【特許文献１】特開平０５−２６９２３９号公報
【発明の開示】
【発明が解決しようとする課題】
【０００６】
しかし、上記の保持部は、外力が所定の方向から作用する場合にのみ遊技釘が脱落するようになっている。従って、遊技釘に対して所定方向以外の方向から大なる外力を加えた場合、遊技釘が脱落せずに屈曲した状態で遊技盤面上に保持されて、結果的に不正行為によって特典が多く付与されるおそれがあった。
【０００７】
また、外力によって遊技釘が脱落した場合、落下した遊技釘が遊技盤上の入賞装置と噛み合って、該入賞装置が破損するおそれがある。従って、遊技機の管理者は、遊技釘が遊技盤から脱落したことを早期に発見する必要があるものの、遊技場には複数の遊技機が設置されており、全ての遊技機の遊技釘の植設状況を短時間で確認することは困難であった。また、遊技者が遊技機を操作している状態で遊技釘の植設状態を確認するには、遊技を中断させて遊技盤を確認するなど、遊技を妨げて行わなければならないことから、遊技者は遊技を集中して楽しむことができず、結果的に遊技に対する魅力を低下させるおそれがあった。
【０００８】
本発明は上述した問題点を解決するためになされたものであり、遊技釘に対する不正行為の実施を防止することができる遊技機用釘及びこれを用いた遊技機を提供することを目的としている。
【課題を解決するための手段】
【０００９】
本発明による遊技機用釘は、遊技機の遊技盤に植設されて遊技球を案内する遊技機用釘であって、該遊技盤に打ち込まれるべき尖った先端部と、打ち込み衝撃力を受けるべき傘状の頭部と、該先端部と該頭部との間をつなぐ胴部と、からなり、該胴部に該頭部を切断する切断位置を示すマークが設けられていることを特徴とする。
【００１０】
また、本発明による遊技機用釘は、遊技機用釘が植設された遊技盤を有する遊技機であって、該遊技機用釘は該遊技盤に打ち込まれるべき尖った先端部と、打ち込み衝撃力を受けるべき傘状の頭部と、該先端部と該頭部との間をつなぐ胴部と、からなり、該胴部に該頭部を切断する切断位置を示すマークが設けられておりかつ前記先端部が該遊技盤に打ち込まれた後に該マークの位置において該胴部が切断されていることを特徴とする。
【発明を実施するための最良の形態】
【００１１】
以下、本発明による遊技機用釘および当該遊技釘が植設された遊技機について、添付図面を参照しつつ詳細に説明する。なお、下記実施例は、いわゆる第１種遊技機と称される遊技機について説明しているもののこれに限定されない。
【００１２】
図１に示す如く、遊技機１は、本体基部となる本体枠２と、本体枠２の内部に配設された遊技盤３と、遊技盤３の前面に設けられていて本体枠２に対して開閉自在になっている前面枠４と、を有する。なお、以下説明を簡単にするべく、遊技盤３の遊技領域３ａとされている遊技盤面を正面に据えて見たときを基準にして、前後左右方向および上下方向が定められているものとする。
【００１３】
前面枠４の下方には下扉枠５が設けられている。下扉枠５には、遊技球供給用の供給皿５ａと、遊技球の発射の制御および発射強度を制御するための操作ハンドル６と、が設けられている。操作ハンドル６は、遊技機１の右側部に配置されておりかつ遊技者が握りやすいように突出して設けられている。操作ハンドル６には、所定の角度範囲内で回動自在な打出調整部７が設けられている。打出調整部７は遊技球の発射装置（図示せず）を駆動せしめる操作スイッチとなっており、打出調整部７を基準位置から時計回り方向に回動せしめることによって遊技球の該発射装置が作動するようになっている。打出調整部７は、バネ等により反時計回り方向への付勢力が付与された状態で基準位置に配置されている。ここで基準位置とは非変移状態の位置をいい、かかる位置に打出調整部７が配置されている場合に、遊技球は遊技盤３の遊技領域３ａに打ち出されないようになっている。
【００１４】
遊技機１の背面側には、遊技機１の各種装置を制御する制御装置、遊技球の発射装置、遊技領域３ａから排出された遊技球の球回収装置および遊技者に賞球を払いだす賞球払出装置など（いずれも図示せず）が設けられている。
【００１５】
遊技盤３の略中央には、図柄可変表示領域８ａを含む図柄可変表示装置８が配置されている。図柄可変表示装置８は、液晶ディスプレイ（ＬＣＤ）、陰極線管ディスプレイ（ＣＲＴ）等の画像表示手段であり、遊技機１の制御装置（図示せず）によって制御されている。該制御装置は、図柄可変表示装置８に表示信号を送出し、図柄可変表示装置８は表示信号に対応した識別図柄を図柄可変表示領域８ａに表示する。識別図柄は、数字、文字等のキャラクターからなり、遊技機１による抽選結果を遊技者に告知する際など遊技機１の遊技状態を示すために使用される。
【００１６】
図柄可変表示装置８の下方には、一般的にスタートチャッカと称される第１の入賞装置９が配置されている。第１の入賞装置９は遊技球の通過を検知する球検知センサ（図示せず）を有しており、該球検知センサは遊技球の通過を契機として遊技機１の制御装置（図示せず）に球検知信号を送出する。該制御装置は、該球検知信号の入力を契機として抽選を行い、図柄可変表示領域８ａに識別図柄を表示して当該抽選結果を遊技者に告知する。また、該制御装置は、該抽選結果に応じて、第１の入賞装置９の下方に設けられた第２の入賞装置１０の蓋部１０ａを開閉する。第２の入賞装置１０は、一般的に大入賞口もしくはアタッカーと称されており、蓋部１０ａが開放されることによって遊技球が通過しうる一般入賞口（図示せず）および特別入賞口（図示せず）を備えている。
【００１７】
該一般入賞口および該特定入賞口は、それぞれ遊技盤３の背面に配置された球回収装置（図示せず）に連通している。また、該一般入賞口および該特定入賞口にはそれぞれ球検知センサ（図示せず）が設けられており、該球検知センサは遊技球の通過を契機として遊技機１の制御装置（図示せず）に球検知信号を送出する。
【００１８】
遊技球が該特定入賞口を通過したことを該球検知センサが検知すると、遊技機１は遊技者に有利な特定遊技状態（大当り遊技状態とも言う）を提供するようになっている。ここで特定遊技状態とは遊技機１が短時間に大量の賞球を払い出すチャンスを遊技者に付与している状態をいい、例えば、蓋部１０ａを複数回にわたって開閉させて遊技球を第２の入賞装置１０内へ導きやすくしている状態をいう。一方、遊技球が該一般入賞口を通過したことを該球検知センサが検知すると、遊技機１は所定数の賞球を遊技者に払い出す。
【００１９】
第１の入賞装置９の上方には、２本の遊技釘１１が離間して植設されており、当該遊技釘１１によって第１の入賞装置９に至る遊技球の通路が規定されている。すなわち、遊技釘１１は遊技盤３に植設されて遊技球を案内しており、遊技球は当該遊技釘１１の間を通った場合に遊技球が第１の入賞装置９へ至ることができる。したがって、該遊技釘１１の植設状態に応じて入賞確率が変化する。この第１の入賞装置９の一番近くに植設された遊技釘１１は、命釘とも称されている。なお、遊技盤３には、該命釘のほかにも、複数の遊技釘が植設されており、また風車等も設けられている。
【００２０】
ここで、第１の入賞装置９の上方に植設された遊技釘１１は、釘の胴部の一部が切断されていて、一般的に打ち込み衝撃力を受ける頭部が取り外されている。すなわち、図２に示す如く、遊技釘１１は、ベニヤ板１２及びセルシート１３からなる遊技盤３に打ち込まれかつ尖っている先端部１１ａと、先端部１１ａと結合していて遊技盤３から略垂直方向に突出している胴部１１ｂと、を有している。
【００２１】
胴部１１ｂの切断端部１１ｃは遊技盤面から所定の距離Ｈ（例えば１８ｍｍ）だけ離れている。なお、釘の頭部（図２中、図示せず）の切断にあたっては、遊技釘１１に設けられたマーク（図２中、図示せず）が用いられており、該マークについて詳細は後述する。遊技釘１１は、真鍮などの錆びにくい金属材料からなっている。
【００２２】
一般的に、遊技釘の頭部は胴部の長手方向に交差する方向に広がる傘状体からなりかつ胴部から突出して拡がっていることから、遊技盤に植設された遊技釘の該頭部にワイヤーなどの異物を引っ掛けることができている。しかし、図２に示すように、遊技釘１１の頭部（図２中、図示せず）を除去することによって、遊技釘１１に異物を引っ掛けることができなくなる。従って、遊技機１の外部から異物を挿入して該異物を用いて遊技釘１１を折り曲げるという不正行為を防ぐことができる。また、結果的に、遊技機１の管理者は遊技釘１１の植設状態を確認する手間を省くことができる。
【００２３】
図３に示す如く、遊技盤に植設される前の状態の遊技釘１１（遊技機用釘）は、遊技盤に打ち込まれるべき尖った先端部１１ａと、打ち込み衝撃力を受けるべき傘状の頭部１１ｄと、先端部１１ａと頭部１１ｄとの間をつなぐ胴部１１ｂと、からなっている。胴部１１ｂには、頭部１１ｄを切断する切断位置を示すマーク１１ｅが設けられている。マーク１１ｅは、凹部（図３(ａ)）若しくは、印刷された印刷マーク（図３（ｂ））であっても良い。マーク１１ｅが設けられている位置は、遊技釘１１が遊技盤３に植設された時に、遊技盤面から所定の距離（例えば１８．０ｍｍ）だけ離れる位置に設けられている。
【００２４】
上記の如き構成の遊技釘１１において、胴部１１ｂにマーク１１ｅを設けることによって、切断位置が明確になる。また、マーク１１ｅを凹部とすると、該マーク１１ｅにおける胴部１１ｂの径が小となることから、胴部１１ｂを容易に切断することができる。すなわち、ニッパー等の切断手段を用いて少ない労力で頭部１１ｄを切り落とすことができる。さらに、遊技盤３に植設された後にマーク１１ｅを切断位置として頭部１１ｄを切り落とすことができる故、不正行為が行なわれ難い遊技釘を提供することができる。さらにまた、遊技釘１１は頭部１１ｄを有していることから、遊技釘１１を遊技盤３に打ち込む手段は従来の打ち込み手段を用いて行うことができる。
【００２５】
なお、図示しないものの、遊技釘の先端部の近傍の胴部には、その周囲表面に、螺旋状の凹凸、すなわち螺旋状に伸長している突条及び溝部が設けられていても良い。当該凹凸を設けることによって、遊技盤に植設された遊技釘が抜けにくくなる。
【００２６】
上記の如き構成の遊技釘１１は、次の手順によって遊技盤３に配置される。図４に示す如く、まず先端部１１ｅと胴部１１ｂの一部とが遊技盤３に打ち込まれる。遊技釘１１の打ち込みは、頭部１１ｄに衝撃力を与えて行われ、マーク１１ｅの位置が遊技盤３から所定の位置だけ離れるようにして行なわれる。遊技釘１１が遊技盤３に植設された後、図４（ｂ）に示す如く、マーク１１ｅの位置において胴部１１ｂがニッパー等の切断手段によって切断されて、頭部１１ｄが取り除かれる。これによって、ワイヤー等の異物を遊技釘１１に引っ掛けることが困難となる。
【００２７】
なお、上記の如き構成の遊技釘において、該遊技釘の遊技盤３への打ち込み深さは、通常の遊技釘の打ち込み深さ（略１５ｍｍ）に比べて、少なくとも切断位置から頭部の頂部までの長さの分だけ大となっていても良い。遊技釘の頭部を切断する際に遊技釘の胴部が折れ曲がるおそれがあることから、遊技釘の打ち込み深さを大とすることによって、切断時における遊技釘の折れ曲がりを回避することができる。また、遊技盤内に胴部を深く打ち込むことができるように、切断前の遊技釘の胴部の長さは、通常の遊技釘の胴部と比較して、少なくとも切断位置から頭部の頂部まで長さの分だけ長くても良い。
【００２８】
変形例として、遊技釘（遊技機用釘）の胴部は金属部材と該金属部材を覆う樹脂部材からなり、マークは該樹脂部材によって形成されていることとしても良い。例えば、図５（ａ）及び（ｂ）に示す如く、遊技釘（遊技機用釘）１１の胴部１１ｂは、切断位置に対応する位置およびその近傍における直径が小となっている金属部材１１ｆと、当該小径部分１１ｇを覆う樹脂部材１１ｈと、からなり、樹脂部材１１ｈはマーク１１ｅを有している。マーク１１ｅは凹部であり、マーク１１ｅが設けられている位置は、遊技釘１１が遊技盤３に植設された時に、遊技盤面から所定の距離（例えば１８．０ｍｍ）だけ離れる位置に設けられている。
【００２９】
かかる構成の遊技釘１１において、胴部１１ｂを切断して形成される遊技釘１１の切断端部は、樹脂部材１１ｈによって一部覆われて、該切断端部における金属部材１１ｆの露出部分を小とすることができる。その結果、該切断端部の金属部材１１ｆと接触して怪我をするおそれを低下させることができる。また、樹脂の方が金属に比べて切断し易いことから、切断位置における金属部材１１ｆの径を小とすることによって、少ない労力で頭部１１ｄを切り落とすことができる。さらに、金属部材１１ｆの直径を小としても、当該小径部分１１ｇを樹脂部材１１ｈによって覆うことにより、胴部１１ｂの剛性を高めることができる。その結果、遊技釘１１は、従来の打ち込み手段を用いて遊技盤３に植設することができる。
【００３０】
なお、樹脂部材１１ｈは、金属部材１１ｆの小径部分１１ｇが嵌め込まれる嵌合部材からなることとしても良い。図５（ｃ）に示す如く、樹脂部材１１ｈは、長手方向に沿ったスリット１１ｉを有しており長手方向に直交する断面がＣ字状となっている略筒状の長手部材からなっている。かかる樹脂部材１１ｈは、金属部材１１ｆを作製する工程とは別工程で形成することができる。また、胴部１１ｂが樹脂部材１１ｈと金属部材１１ｆとからなる遊技釘１１は、金属部材１１ｆの小径部分１１ｇに樹脂部材１１ｈを嵌め込むことによって形成することができる故、当該遊技釘の製造工程を単純にすることができる。
【００３１】
なお、実施例において、頭部１１ｄが切り取られて除去された遊技釘１１は、第１の入賞装置９の近傍の命釘として説明しているもののこれに限定されない。すなわち、遊技盤３上に植設された遊技釘の全て若しくはその一部を、頭部１１ｄが除去された遊技釘１１としても良い。
【図面の簡単な説明】
【００３２】
【図１】本発明による遊技機用釘を備えた遊技機の概略正面図である。
【図２】本発明による遊技機用釘の遊技盤における植設状態を示す概略断面            図である。
【図３】本発明による遊技機用釘を示す概略側面図である。
【図４】本発明による遊技機用釘の遊技盤に対する打ち込み工程を示す概略            断面図である。
【図５】本発明による遊技機用釘を示す概略側面図（ａ）及び（ａ）のＡ−          Ａ線断面図（ｂ）ならびに樹脂部材の概略斜視図（ｃ）である。
【符号の説明】
【００３３】
１  遊技機
３  遊技盤
８  図柄可変表示装置
８ａ  図柄可変表示領域
９  第１の入賞装置
１０  第２の入賞装置
１０ａ  蓋部
１１  遊技釘
１１ａ  先端部
１１ｂ  胴部
１１ｃ  切断端部
１１ｄ  頭部
１１ｅ  マーク
１１ｆ  金属部材
１１ｇ  小径部分
１１ｈ  樹脂部材
１１ｉ  スリット
１２  ベニヤ板
１３  セルシート
【図１】
2007244602.tif 000003
【図２】
2007244602.tif 000004
【図３】
2007244602.tif 000005
【図４】
2007244602.tif 000006
【図５】
2007244602.tif 000007